Podtech/llm-jp-corpus-v4-ja_patent huggingface dataset:
(57)【要約】【課題】飲料水を浄化し水の腐敗を防ぐと同時に電気分解の装置を用いることなく水素を豊富に含む水を簡単且つ確実に作ることができるようにする。【解決手段】飲料水８と反応して水素ガスを発生するマグネシウム粒６と飲料水８を浄化する作用を有する銀粒５が充填された浸水性の袋体４を内部に水が入るようにした穴３が形成されたケース１に入れ水素豊富水生成器２を構成する。この水素豊富水生成器２を常温又は冷却した飲料水８の入ったボトル７の中に入れ、飲料水８とマグネシウム粒６を反応させて水素ガスを発生させ飲料水８を水素を豊富に含む水素豊富水に変えるとともに、銀粒５によって飲料水を浄化する。【選択図】　図１
2004041949.tif 000002
【特許請求の範囲】
【請求項１】
飲料水とマグネシウム粒を反応させて水素ガスを発生させ飲料水を水素を豊富に含む水素豊富水に変えるようにしたことを特徴とする水素豊富水生成方法。
【請求項２】
飲料水を前記マグネシウム粒とともに銀粒と反応させこの銀粒によって水素豊富水を浄化するようにしたことを特徴とする「請求項１」に記載の水素豊富水生成方法。
【請求項３】
前記飲料水が常温あるいは冷却水であることを特徴とする「請求項１」又は「請求項２」に記載の水素豊富水生成方法。
【請求項４】
飲料水用のボトルに投入可能であり内部に水が入るようにしたケースと、該ケースに内置され内部に飲料水と反応して水素ガスを発生するマグネシウム粒が充填された浸水性の袋体とを備えた水素豊富水生成器。
【請求項５】
前記袋体に前記マグネシウム粒とともに飲料水を浄化させるための銀粒を充填したことを特徴とする「請求項４」に記載の水素豊富水生成器。
【請求項６】
前記ケースを横断面形状が六角形の細長いスティック状の筒体とし、その側壁に水が出入りするための穴を多数穿設したことを特徴とする「請求項４」又は「請求項５」に記載の水素豊富水生成器。
【発明の詳細な説明】
【０００１】
【発明の属する技術分野】
本発明は、体内の活性酸素の消去に有効な水素豊富水を生成する方法及び水素豊富水生成器に関する。
【０００２】
【従来の技術】
水素を多量に含む水が癌その他の各種の病気の原因とされる活性酸素の消去に有効であるという学説が近年医学界において発表され、注目されている。このような水素を豊富に含む飲料水を生成する装置としては電気分解を利用したものが従来知られている。
【０００３】
【発明が解決しようとする課題】
電気分解を利用した従来の水素豊富水生成装置は、電源を必要とし、しかも構造が複雑となってしまうため、コスト高となり、消費者に簡単且つ安価に水素豊富水を供給することができなかった。
本発明は上記問題点を解決することを目的とするものである。
【０００４】
【課題を解決するための手段】
上記目的を達成するため本発明は、飲料水とマグネシウム粒を反応させて水素ガスを発生させ飲料水を水素を豊富に含む水素豊富水に変えるようにしたものである。
また本発明は、飲料水を前記マグネシウム粒とともに銀粒と反応させこの銀粒によって水素豊富水を浄化するようにしたものである。
また本発明は、前記飲料水が常温あるいは冷却水であることを特徴としている。
また本発明は、飲料水用のボトルに投入可能であり内部に水が入るようにしたケースと、該ケースに内置され内部に飲料水と反応して水素ガスを発生するマグネシウム粒が充填された浸水性の袋体とを備えたものである。
また本発明は、前記袋体に前記マグネシウム粒とともに飲料水を浄化させるための銀粒を充填したことを特徴とするものである。
また本発明は、前記ケースを横断面形状が六角形の細長いスティック状の筒体とし、その側壁に水が出入りするための穴を多数穿設したものである。
【０００５】
【発明の実施の形態】
以下に本発明の実施の形態を添付した図面を参照して詳細に説明する。
符号１は水素豊富水生成器２のスティック状のケースであり、横断面形状が六角形の細長い筒状のプラスチックにより構成されている。前記ケース１の側壁にはケース内に液体を出入りさせるための穴３が穿設され、この穴３を通してケース１の内部が外部と連通している。
【０００６】
符号４は不織布などの浸水性の素材から成る袋体であり、これに銀粒５とマグネシウムの粒６が充填されている。前記銀粒５とマグネシウム粒６が充填された袋体４は、前記ケース１の中に収納されている。
【０００７】
上記した構成において、図３に示すように、ケース１内に銀粒５及びマグネシウム粒６を充填した水素豊富水生成器２を、常温あるいは冷却した飲料水８の入ったボトル７内に投入する。水素豊富水生成器２投入後、１０分程度経過すると、ボトル７内の飲料水８は銀粒５によって浄化される。また飲料水８は、同時にマグネシウム粒６と反応し、次の化学式によって水素ガスを発生する。
【０００８】
【化１】
2004041949.tif 000003
【０００９】
その結果、ボトル７内の常温あるいは冷却した飲料水８は、浄化されると同時に水素を豊富に含んだ水となる。
従来、マグネシウムについては次のように考えられている。「金属マグネシウムは室温では水に侵されないが、微粉末を水中で加熱すると、水と反応して水酸化マグネシウムと水素ガスが生成する。・・・」（『元素１１１の新知識』桜井弘著　講談社　８２ページより抜粋）、あるいは「マグネシウムＭｇ・・・は、高温の水蒸気と反応し、水素を発生する・・・」（２００２年度教育セミナー　教育テレビ　ＮＨＫ高校講座　化学　日本放送協会・日本放送出版協会編　日本放送出版協会　６４ページより抜粋）。
【００１０】
これらの記述からも明らかなように、現在においては、「金属マグネシウムは、加熱すると水と反応して水素ガスが生成」、あるいは「マグネシウムは、高温の水蒸気と反応し水素を発生する」というのが化学界の定説とされている。
【００１１】
しかしながら、簡易水素センサーを用いて、上記実施形態のマグネシウム粒の反応を検査したところマグネシウムは、常温あるいは冷却したの水（摂氏２５度前後）あるいは、冷水（摂氏５度前後）とも容易に反応して、水酸化マグネシウムと水素ガスを生成するという新事実が認められた。これにより、電気分解装置を用いることなく水素豊富水が確実且つ安価に作れるようになった。
尚、本発明の実施に際しては、常温あるいは冷水の飲料水に特に限定されるものではなく、加熱した高温の飲料水を水素豊富水に変える場合にも適用することができる。
【００１２】
【発明の効果】
本発明は上述の如く構成したので、通常の水を水素豊富水に簡単に変えることができる。
【図面の簡単な説明】
【図１】本発明の好適な実施形態を示すＡ−Ａ線断面図である。
【図２】水素豊富水生成器の側面図である。
【図３】本発明の説明図である。
【符号の説明】
１　　　ケース
２　　　水素豊富水生成器
３　　　穴
４　　　袋体
５　　　銀粒
６　　　マグネシウム粒
７　　　ボトル
８　　　飲料水
【図１】
2004041949.tif 000004
【図２】
2004041949.tif 000005
【図３】
2004041949.tif 000006
(57)【要約】【課題】ウォッシャー装置に除湿装置を接続することで給水作業に軽減をはかることを目的とする。【解決手段】図１は本発明を使用したカメラ装置の一例である。除湿装置７は、大気中の水分を除湿し、給水タンク７に水を送り込む。水位センサ８は、給水タンク６内の液量が一杯になったとき除湿装置７の停止を行う。ウォッシャー制御部９は、外部からのウォッシャー送水命令によりウォッシャーノズル５から洗浄液をカメラハウジング前面ガラス３に向け噴射する。また、ウォッシャー制御部９はワイパーユニット２にも接続されており、洗浄液の噴射と同時に動作し、ワイパーブレード４によりカメラハウジング前面ガラス３の汚れを排除する。【選択図】　図１
2004041947.tif 000002
【特許請求の範囲】
【請求項１】
ＣＣＴＶ装置において、
テレビカメラ等を収納するカメラハウジングの前面ガラスの汚れを排除するためのウォッシャー装置であって、
上記前面ガラスに洗浄液を噴射するノズルと、
上記ノズルに洗浄液を供給する給水タンクと、
上記ウォッシャー装置を制御する制御部と、
上記給水タンクに、大気中の水分を抽出して供給する除湿装置と備えたことを特徴とするウォッシャー装置。
【請求項２】
請求項１記載のウォッシャー装置において、
上記給水タンクの液量を監視する水位センサを備え、
上記水位センサが、上記給水タンクに貯蔵された洗浄液が所定量以上であることを検出した場合は、上記除湿装置の動作を停止することを特徴とするウォッシャー装置。
【請求項３】
請求項２記載のウォッシャー装置において、
上記水位センサが、上記給水タンクに貯蔵された洗浄液が所定量未満であることを検出した場合は、上記除湿装置の動作を開始することを特徴とするウォッシャー装置。
【発明の詳細な説明】
【０００１】
【発明の属する技術分野】
本発明は、ＣＣＴＶ装置に関わり、特にＣＣＴＶ装置のカメラハウジングの汚れを排除するためのウォッシャー装置に関するものである。
【０００２】
【従来の技術】
従来は、ウォッシャー装置に含まれる給水用タンクへの水の補給は、ウォッシャー給水タンクのある場所に人が出向き、補給を行なっていた。
【０００３】
【発明が解決しようとする課題】
補給作業は、人手がかかること、また、設置されたＣＣＴＶ装置が鉄塔の上や、ビルの屋上等にあることが多く、補給作業に危険が伴っていた。
本発明の目的は、上記のような問題を除去し、ウォッシャー装置の給水タンクに水を補給する手間を軽減することにある。
【０００４】
【課題を解決するための手段】
上記の目的を達成するため、本発明のウォッシャー装置は、給水タンクに除湿装置を接続し、大気中の水分を除湿する。このとき得られた水を給水タンクに補給するようにしたものである。
【０００５】
即ち、本発明のウォッシャー装置は、ＣＣＴＶ装置において、テレビカメラ等を収納するカメラハウジングの前面ガラスの汚れを排除するためのウォッシャー装置であって、上記前面ガラスに洗浄水を噴射するノズルと、上記ノズルに洗浄水を供給する給水タンクと、上記ウォッシャー装置を制御する制御部と、上記給水タンクに、大気中の水分を抽出して供給する除湿装置と備えたものである。
【０００６】
また、本発明のウォッシャー装置は、上記給水タンクの液量を監視する水位センサを備え、上記水位センサが、上記給水タンクに貯蔵された洗浄液が所定量以上であることを検出した場合は、上記除湿装置の動作を停止する。
またさらに、本発明のウォッシャー装置は、上記水位センサが、上記給水タンクに貯蔵された洗浄液が所定量未満であることを検出した場合は、上記除湿装置の動作を開始する。
【０００７】
【発明の実施の形態】
本発明の一実施例を図１によって説明する。
図１は本発明のウォッシャー装置を使用したＣＣＴＶ装置のテレビカメラ部の構成例を示すブロック図である。
１はテレビカメラを内蔵したカメラハウジング、２はワイパーユニット、３はカメラハウジング１中のテレビカメラの撮像面の前に設置された前面ガラス部、４はワイパーブレード、５はウォッシャーノズル、６は給水タンク、７は除湿装置、８は水位センサ、９は制御部である。
【０００８】
監視先のテレビカメラ１は監視視野内を常時監視し、その取得した画像を所定の映像信号に変換して、監視センタ側に出力する。監視センタ側は、与えられた映像信号をモニタして監視を行なう。そして、必要があれば、テレビカメラ１等の監視先に制御信号を送り、テレビカメラ１の設定の変更等、監視先の設定を変更する。
監視先と監視センタとの通信は、有線ケーブル、無線、インターネット回線等、または、それらの組合せを使って行う。
【０００９】
除湿装置７は、大気中の水分を除湿し、給水タンク６に除湿によって大気中から抽出された水を送り込む。
水位センサ８は、給水タンク６内の液量が所定量（例えば、給水タンク６が満水）になったときに除湿装置７の動作を停止する。
また、水位センサ８は、給水タンク６内の液量が所定量未満になったときに除湿装置７の動作を再開する。
【００１０】
制御部９は、外部からのウォッシャー送水命令により、給水タンク６からウォッシャーノズルに洗浄液を送り出し、カメラハウジング１の前面ガラス部３に向け洗浄液を噴射させる。
また、制御部９は、ワイパーユニット２にも信号を送り、洗浄液の噴射と同時にワイパーブレード４により前面ガラス部３の表面をこすって表面の汚れを排除する。
【００１１】
上記実施例の他、図２に示す様に、水位センサ８の検出するデータを監視センタ側に出力するように構成し、水位センサ８が、常時、給水タンク６内の洗浄液量を監視し、液量が所定の範囲内、または所定の範囲外のときに、監視側にその情報を通知することもできる。更に、監視センタ側は、その得られた情報に基いて、除湿装置７やウォッシャー制御部９に制御信号を送り、ウォッシャー機能のオンーオフ制御等を行なう。
【００１２】
【発明の効果】
本発明によればウォッシャー給水タンクへの水の補給作業が軽減されると共に、作業者の危険も軽減できる。
【図面の簡単な説明】
【図１】本発明の一実施例のウォッシャー装置を使用したＣＣＴＶ装置のテレビカメラ部の構成例を示すブロック図。
【図２】本発明の一実施例のウォッシャー装置を使用したＣＣＴＶ装置のテレビカメラ部の構成例を示すブロック図。
【符号の説明】
１：カメラハウジング、　２：ワイパーユニット、　３：前面ガラス部、　４：ワイパーブレード、　５：ウォッシャーノズル、　６：給水タンク、　７：除湿装置、　８：水位センサ、　９：ウォッシャー制御部。
【図１】
2004041947.tif 000003
【図２】
2004041947.tif 000004
(57)【要約】【課題】椅子等のクッションばねユニットとして、ばねの圧縮抵抗及びその増大率が小さいとともに圧縮時の内部空気の抵抗が小さいものを提供する。【解決手段】並列する複数の筒状のばね収容ポケット１２を有する合成繊維網製のばねホルダ１１と、ばねホルダ１１の各ばね収容ポケット１２に１０％程度の圧縮負荷状態で並立させて複数ずつ収容した鼓形コイルばね１３と、ばねホルダ１１の各ばね収容ポケット１２の側端縁部に沿ってのびかつ隣接する鼓形コイルばね１３の上端部相互及び下端部相互を連結する複数対のコイルばね製のヘリカル線１４とからなる。【選択図】　　　　図１
2004041602.tif 000002
【特許請求の範囲】
【請求項１】
並列する複数の筒状のばね収容ポケットを有するネット製ばねホルダと、ばねホルダの各ばね収容ポケットに負荷状態で並立させて複数ずつ収容した複数の鼓形コイルばねと、各ばね収容ポケットの側端縁部に沿ってのびかつ隣接する鼓形コイルばねの上端部相互及び下端部相互を連結する複数対のヘリカル線とからなる、椅子等のクッションばねユニット。
【請求項２】
ばねホルダを形成するネットが、編成又は織成による繊維網である、請求項１記載の椅子等のクッションばねユニット。
【発明の詳細な説明】
【０００１】
【発明の属する技術分野】
この発明は、椅子（ソファーを含む）やベッド等のクッションばねユニットの改良に関するものである。
【０００２】
【従来の技術】
この種のクッションばねユニットとしては、縦横の両方向に複数の円筒形コイルばね列を配置するとともに隣接する円筒形コイルばねの上端部相互と下端部相互を、縦方向又は横方向にのびるヘリカル線で連結し、かつ円筒形コイルばねの無負荷（無圧縮）状態で全体を織布で被覆したものが知られている。
【０００３】
しかし上記のような公知のクッションばねユニットには、特に円筒形コイルばねの圧縮抵抗及びその増加（増大）率が大きい点や織布による被覆に基づく圧縮時における内部空気の逸出速度が遅い（空気抵抗が大きい）点から、クッション性が良いとは言えないという問題がある。
【０００４】
【発明が解決しようとする課題】
この発明は、公知のものに認められる上記のような問題に鑑み、ばねの圧縮抵抗が及びその増加率が小さいとともに圧縮時の内部空気の逸出速度が速い（空気抵抗が小さい）クッションばねユニットを提供することを課題としている。
【０００５】
【課題を解決するための手段】
この発明に係るクッションばねユニットは、並列する複数の筒状のばね収容（収納）ポケットを有するネット（網）製ばねホルダ（ばね保持体）と、ばねホルダの各ばね収容ポケットに負荷（圧縮）状態で並立させて複数ずつ収容した鼓形コイルばねと、各ばね収容ポケットの側端縁部に沿ってのびかつ隣接する鼓形コイルばねの上端部相互及び下端部相互を連結する複数対のヘリカル線とからなる。
【０００６】
この発明のクッションばねユニットにおけるばねホルダを形成するネットとしては、クッション動作に対する対応性の点から、一般には、編成や織成による繊維網（合成繊維網や天然繊維網）を用いることができる。なおネットの網目については特に制約はなく、鼓形コイルばねの収容保持上支障のない相当大きなもの（例えば鼓形コイルばねの端径の１／３角程度）から、相当小さいもの（例えば１〜２ｍｍ角程度）まで使用可能である。
【０００７】
ばねホルダのばね収容ポケットにおける鼓形コイルばねの負荷状態は、例えば、無負荷状態（自然長）の１０％前後から１５％前後圧縮される状態とすることができる。
【０００８】
ヘリカル線としては、一般には、コイルばね類を用いることができる。
【０００９】
【発明の実施の形態】
以下図面に基づいて、この発明に係るクッションばねユニットの一実施形態について説明する。
【００１０】
図示の形態では、ばねホルダ１１は、合成繊維糸の織成又は編成による合成繊維網製で、左右方向に隣接して並設した、前後にのびる複数のばね収容ポケット１２を備えている。
【００１１】
鼓形コイルばね１３は、巻数が数回で、上端及び下端以外が上端及び下端より小径の鼓状で、ばねホルダ１１の各ばね収容ポケット１２に、ほぼ１０％程度の圧縮状態で、複数個ずつ等間隔をおいて収容してある。
【００１２】
ヘリカル線１４は、巻数が数十の小径で長いコイルばねからなっており、中間の隣接する二つのばね収容ポケット１２の境界（区画）部及び両端のばね収容ポケット１２の外側端縁部を、該当部のばねホルダ１１の網目を貫通する状態で、ばね収容ポケット１２に沿って前後にのびて、前後左右において隣接する鼓形コイルばね１３の上端部と下端部相互及び前後において隣接する鼓形コイルばね１３の上端部相互と下端部相互を連結している。
【００１３】
図示の形態は、椅子に使用する場合には、例えば図面に仮想線で示すように、ベニヤ板、ネットなどの下張り材１５に支持するとともに上張り材取付け用周縁枠１６と上張り材１７を介して全体をカバーするような形に配設することができる。
【００１４】
この発明のクッションばねユニットは、このほか種々の形態で実施することができるもので、上記の形態に限定されるものでないことはもちろんである。
【００１５】
【発明の効果】
この発明に係るクッションばねユニットによれば、圧縮抵抗自体も小さくかつ負荷状態のためにその増加率も小さい鼓形コイルばねを用いるとともに、ばねホルダがネット製で、圧縮時の空気抵抗が小さいので、全体として良好なクッション性が得られる。
【００１６】
またこのクッションばねユニットによれば、圧縮量が大きくても疲労や損傷しにくい鼓形コイルばねを用いるとともに、その鼓形状のために、相互に密接するような状態に並設しても、相互の間に損傷につながるような摩擦接触が生じる恐れがないので、長期にわたって安定したクッション作用が奏される。
【図面の簡単な説明】
【図１】この発明に係るクッションばねユニットの一実施形態の略平面図である。
【図２】図１に示す実施形態の略正面図である。
【図３】図１に示す実施形態の略側面図である。
【符号の説明】
１１　ばねホルダ
１２　ばね収容ポケット
１３　鼓形コイルばね
１４　ヘリカル線
１５　下張り材
１６　周縁枠
１７　上張り材
【図１】
2004041602.tif 000003
【図２】
2004041602.tif 000004
【図３】
2004041602.tif 000005
(57)【要約】【課題】最近、生理活性線の放射源として希土類鉱物が注目され、その放射線に被浴することによってホルミシス効果（抗酸化作用、筋エネルギー物質の活性化、細胞増殖の促進等の総合効果）が得られるとされているが、その被浴形態を具体化することについては未開発の状態である。【解決手段】略２０％程度の希土類鉱物を加えて焼成した焼成セラミック粉を略３％程度混入して調整したアクリル・ウレタン系塗料を浴室の天井、側壁等の浴室内に塗布、若しくは塗布した物体を設置して入浴者が塗料から放射される生理活性線を被浴できるように構成した。【選択図】図２
2004041604.tif 000002
【特許請求の範囲】
【請求項１】
略２０％程度の希土類鉱物を加えて焼成した焼成セラミック粉を略３％程度混入して調整したアクリル・ウレタン系塗料を浴室の天井、側壁等の浴室内に塗布、若しくは塗布した物体を設置して入浴者が塗料から放射される生理活性線を被浴できるようにしたことを特徴とする生理活性線放射浴室
【請求項２】
略２０％程度の希土類鉱物を加えて焼成した焼成セラミック粉を略３％程度混入して調整したアクリル・ウレタン系塗料を基材表面に塗布して構成した内壁面用パネル建材
【発明の詳細な説明】
【０００１】
【産業上の利用分野】
本発明は、浴室の壁面や天井に遠赤外線やマイナスイオン等の生理活性線を放射する希土類鉱物を含有させた塗料を塗布、若しくは塗布した物体を設置して入浴者が塗料から放射される生理活性線を被浴できるようにした生理活性線放射浴室と、浴室や居室の壁面や天井に張り付け内装する同塗料を表面に塗布した化粧パネル等の内装建材に関するものである。
【０００２】
【発明が解決しようとする課題】
従来、生理活性線の放射浴による健康促進としては、ラドンやトロンを浴泉源として用いた健康浴泉が行なわれているが、大規模な営業浴場としてしか成り立たず湯治的な雰囲気を脱っしきれない状况となっている。
【０００３】
最近、生理活性線の放射源として希土類鉱物が注目され、その放射線に被浴することによってホルミシス効果（抗酸化作用、筋エネルギー物質の活性化、細胞増殖の促進等の総合効果）が得られるとされているが、その被浴形態を具体化することについては未開発の状態である。
【０００４】
また、希土類鉱物から放射される放射線には抗菌効果も認められ、特に、高温多湿環境によって発生する水蒸気にマイナスイオンを帯電させ、電離作用を安定させる効果も確認されている。
【０００５】
【課題を解決するための手段】
本発明は上記した希土類鉱物の特性、特に、高温多湿環境によって発生する水蒸気にマイナスイオンを帯電させ、電離作用を安定させる効果を日本古来の温泉浴と結び付け、生理活性線浴場として活用するものである。
【０００６】
即ち、生理活性線の放射源として注目される希土類鉱物を含有させた塗料を天井、側壁等の浴室内に塗布、若しくは塗布した物体を設置して入浴者が塗料から放射される生理活性線を被浴できる生理活性線浴場に構成した。
【０００７】
また、上記の希土類鉱物含有塗料を基材表面に塗布して浴室内壁面用パネル建材に構成し、大規模な温泉浴場に限らず家庭内の浴室や個室の浴室等の内装化粧パネルとして用いることにより、気軽に生理活性線浴を楽しめるようにしたものである。
【０００８】
【実施例】
以下、希土類鉱物含有塗料の塗布基材を浴室内装用の化粧パネルに構成した本発明の実施例を図面を参照して説明する。１は基礎板で、ノンアスベストのセメント板や素焼きタイル素材で構成されている。なお、実施例では基礎板を正方形に構成しているが、これを三角形や円形に構成しても良いことは勿論である。
【０００９】
基礎板１の表面１ａには、次のように構成された塗料が乾燥塗布され、常時、微量の生理活性線が放射されるが浴室の壁面等に張り付け内装され、浴室内の温度が上昇し水蒸気が発生して湿度が上昇すると塗料に含有された希土類鉱物からマイナスイオンが放射され水蒸気に帯電すると共に、電離作用を安定させて人体に対しては血行の促進や自律神経のバランスを保つ作用をする。
【００１０】
希土類鉱物含有塗料は、無機粘土に略２０％程度の希土類鉱物を加えて焼成し、焼成セラミックを焼成する。希土類鉱物は原子番号５７から７１までの１５元素に、これらと同族のスカンジウム、イットリウムを合わせた１７元素の何れかを含有する鉱物であるが、アクチノイド元素も第２の希土類と呼ばれているものであるので、その含有鉱物も希土類鉱物に包含される。
【００１１】
焼成セラミックは固体であるので、そのままでは塗料に混入することができないため粉砕して粉末をアクリル・ウレタン系塗料に略３％程度混入して調整するものである。この塗料の組成は、例えばアクリル樹脂ポリオール２８．４重量％、ヘキサメチレンジイソシアネート８．３重量％、焼成セラミック粉３重量％、沈澱防止剤０．３重量％、エステル系溶剤２３．０重量％、芳香族炭化水素３７．０重量％から成る。
【００１２】
塗料はエステル系溶剤、芳香族炭化水素等から成る溶剤で溶かして塗布するもので、この場合、希土類鉱物を含有する焼成セラミックは塗料に含まれる樹脂をマイナスに帯電し、マイナスイオンを放射する起爆剤として作用する。
【００１３】
希土類鉱物含有塗料は、含有される希土類鉱物の種類によってマイナスイオン、遠赤外線等の差はあるが、パネル建材等の表面に塗布固定されて人体に有益な生理活性線を放射するので、浴室壁面等の化粧パネルとして内装し生理活性線放射浴室として入浴ロケーションを活かした営業浴場としても、個人住宅の浴室としても幅広く活用できるものである。
【００１４】
なお、希土類鉱物含有塗料の塗布はパネル建材等を介さずに浴室壁面等に直接塗布しても良いし、パネル建材以外の物体に塗布して浴室内に設置しても良く、入浴というロケーションを活かしてホルミシス効果を堪能できるものである。
【００１５】
本発明は以上のように構成したので、新しい健康促進と癒しの場としての浴室、浴場を提供できると共に、簡易に着装を行うことができる化粧パネルによってホルミシス効果を被浴することができる新しいリフォーム建材として新たな市場開発にも活用できるものである。
【００１６】
【図面の簡単な説明】
【図１】本発明の実施例による内壁面用パネル建材の斜視図
【図２】本発明の実施例による内壁面用パネル建材を内装して構成した生理活性線放射浴室の状況図
【符号の説明】
１　　　　パネル基礎板
１ａ　　　　パネル基礎板表面の希土類鉱物含有塗料層
Ａ　　　　パネル着装壁面
Ｂ　　　　浴槽
【図１】
2004041604.tif 000003
【図２】
2004041604.tif 000004
(57)【要約】【課題】ゴルフスイングにおいて、トップオブスイング時の過剰なスウェーを抑え、力強い正確なショットを容易ならしめるスイング矯正用具を利便性、歩行上の傷害リスクの排除、コスト低減の観点から、通常のゴルフシューズに装着する構造にて新しく作り出すこと。【解決手段】足の外側が厚く、内側が薄い内側傾斜構造の靴底を、取り付け用バンドによって着脱可能なアタッチメント化する。これにより通常のゴルフシューズが何時でも何処でも容易にスイング矯正用具化する。【選択図】　　　図１
2004041637.tif 000002
【特許請求の範囲】
【請求項１】
ゴルフシューズにバンドもしくはマジックテープ等で取り付けるスイング矯正用アタッチメント。
【請求項２】
アタッチメントは足の外側を厚く、内側を薄くした構造の靴底と、靴底をゴルフシューズに着装するバンドからなり、着装時常に足の内側に体重が掛かる構造とする。
【発明の詳細な説明】
【０００１】
【発明の属する技術分野】本発明はゴルフ練習場等に於いて、ゴルフシューズに当アタッチメントを取り付けることにより、足の内側加重を体感させ、アベレージゴルファーに有り勝ちなトップオブスイング時における右足（左利きにあっては左足）の外側加重による過度なスウェーを矯正し、力強い正確なショットを生みだすゴルフスィング矯正用具。
【０００２】
【従来の技術】一般のゴルフシューズにあっては、靴の内側と外側の厚さが同じで外側加重に陥りやすかった。また、内側体重を意識させる靴にあっては、靴そのものが内側に傾斜しており、長時間使用時には足首を傷める危険がありラウンドに適さない上、歩行を前提としているため、内側傾斜に大きな角度を付ける自由度も無かった。
【０００３】
【発明が解決しようとする課題】従来のゴルフシューズには次のようなデメリットが有った。
靴底の内と外側の厚さが同じ為、アベレージゴルファーにあっては
（イ）トップオブスイング時に右足（左利きにあっては左足）外側加重となり過度なスウェーが起き易く、アドレス時とインパクト時のミートポイントにズレが生じ、駄振り、引っ掛けが出やすかった。
（ロ）トップオブスイング時に右足（左利きにあっては左足）外側加重となるため、下半身の捻りが弱まり、強い弾が出にくかった。
（ハ）内側傾斜を持つゴルフシューズにあっては長時間使用が足首を傷める危険性があり、ラウンドに適さなかった。
（ニ）内側傾斜を持つゴルフシューズにあっては歩行を前提としているため、内側傾斜に大きな角度を付けることが出来なかった。
本発明はこれらの全てのデメリットを除くためになしたものである。
【０００４】
【課題を解決するための手段】外側を厚く、内側を薄くした靴底を取付け用バンドによって、通常のゴルフシューズに着装する形体、すなわち着脱可能なアタッチメント化した。
【０００５】
【発明の形態】アベレージゴルファーに有り勝ちなトップオブスイング時の右足（左利きにあっては左足）外側加重による過度なスウェーを矯正し、より安定した、より強いスイングを実現する構造の靴底を、着脱可能なアタッチメント化することにより、通常のゴルフシューズを何時でも、何処でもスイング矯正シューズに変更できる利便性とスイング矯正機能を合わせて創造した。
【０００６】
靴底は足の内側が薄く、外側が厚い内側傾斜構造を持ち、この靴底と一体成型、もしくは圧着されたバンドにより通常のゴルフシューズに取り付けるものである。
【０００７】
【実施例】図１は本発明によるアタッチメント（右利き用）をゴルフシューズに装着した状態の側面図である。図２は同じく平面図、図３は背面図である。アタッチメントの装着によりゴルフシューズの外側が高く、内側の低い形状となる。この内側傾斜がバックスィングからトップオブスイングに架けて足の内側加重を促進し、過剰なスウェーを矯正するもの。またマジックテープにより脱着を簡便にし、何時何処でも普通のゴルフシューズをスイング矯正シューズへ変更することが出来るものとした。
【０００８】
図４は本発明によるアタッチメントの側面図である。アタッチメントは靴底、バンド、マジックテープから成る。靴底とバンドは一体成型するか、別々のパーツとして作り接着して合成する。
【０００９】
バンドは左右の形状にアールを取り入れることにより、靴への接合性を高めている。
【００１０】
靴底には刻みを入れるか、スパイクを付け、滑り止めとする。
【００１１】
【発明の効果】本発明は以上説明した形態で実施され、以下の効果を奏する。
（イ）バックスイングからトップオブスイングに架けて、右足の（左利きにあっては左足）内側加重となることから過度なスウェーが矯正され、アドレス時とインパクト時との打球ポイントのズレが最小となった。
（ロ）トップオブスイング時の下半身の捻りが強化され、飛距離が伸びた。
（ハ）着脱可能としたため、靴底の内側傾斜の角度に自由度が生まれた。その結果、内側加重を認識しにくいプレーヤーのための傾斜の大きい靴底も提供できるようになった。
（ニ）着脱可能としたため、あらゆるゴルフシューズに、何時でも、何処でも使用が出来、利便性が増した。
また、普通のゴルフシューズがスイング矯正シューズに変わることから、内側傾斜底を持つゴルフシューズは不要となり、同シューズ歩行による足首の傷害リスクも解消した。
（ホ）アタッチメントによる通常ゴルフシューズの矯正用具化を目指したため、内側傾斜型ゴルフシューズに比べコストの大幅低減が可能となった。
【図面の簡単な説明】
【図１】一般のゴルフシューズに本発明のアタッチメントを着装した側面図である。
【図２】一般のゴルフシューズに本発明のアタッチメントを装着した平面図である。
【図３】一般のゴルフシューズに本発明のアタッチメントを装着した背面図である。
【図４】本発明によるアタッチメントの側面図である。
【図５】本発明によるアタッチメントの平面図である。
【図６】本発明によるアタッチメントの裏面図である。
【符号の説明】
１　ゴルフシューズ
２　アタッチメント
３　靴底
４　バンド
５　マジックテープ
６　滑り止め用の刻み、又はスパイク
【図１】
2004041637.tif 000003
【図２】
2004041637.tif 000004
【図３】
2004041637.tif 000005
【図４】
2004041637.tif 000006
【図５】
2004041637.tif 000007
【図６】
2004041637.tif 000008
(57)【要約】［課題］底が見えるような透明な材質で保温用浮遊体シートを作ることと、分離集合が楽なことと同時に保温力を高め隙間を無くすこと。又、使用間を感じさせないこと。［解決手段］透明な材質で、中空部を設けて浮力をもたせた直方体の形をした浮遊体を作り下面部にＵ字受け具を取り付けホックとして利用する。そして浮遊体が離散するのを防ぐためにそのホックに磁石付紐１（５）下げて紐の磁石で個々の不要体を接合させる方法。【選択図】　図１
2004041633.tif 000002
【特許請求の範囲】
【請求項１】
透明な材質からなる直方体の形をした浮遊体（Ａ）に浮力を持たせる為の中空部（３）を設け、底面部に一辺の中心より少し内側に磁石付紐（１）をつなぐフック（４）を各辺に設けたことを特徴とする浮遊体Ａ。
【請求項２】
浮遊体Ａの上面部に楕円形の窪み（１１）を設け、下面部にはその窪みに対応する楕円形の出張り（１２）を設けたことを特徴とする請求項１の浮遊体Ｂ。
【請求項３】
浮遊体Ｂの上面の窪みの中心の磁石（９）と、下面の出張りの中心に磁石（１０）又は、磁性体を使ったことを特徴とする請求項２の浮遊体。
【請求項４】
両端に非磁性体（２１）を設けた、耐水性の紐２（７）の非磁性体を張架又は、渡設したことを特徴とする請求項３の浮遊体。
【発明の詳細な説明】
【０００１】
［発明の属する技術分野］
プールや大浴場での温度の低下を遅らせるための保温用浮遊体シート。
【０００２】
［従来の技術］
市販の発泡スチロールの保温性シートや実開平６−６８５８５の多数の浮遊体を紐で繋いだもの又、プール用の保温シートを巻き取り機械を使って行なう方法がある。紐でつないだものは離れたら自然には復元しにくく隙間が多い。
市販シートは大きく分離分割しにくい。巻き取り機械は費用が大である。
【０００３】
［発明が解決しようとする課題］
底が見えるような透明な材質で保温用浮遊体シートを作ることと、分離集合が楽なことと同時に保温力を高め隙間を無くすこと。
【０００４】
［発明を解決する為の手段］
透明な材質で、中空部を設けて浮力をもたせた浮遊体を作り下面部にＵ字受け具を取り付けホックとして利用する。そして浮遊体が離散するのを防ぐためにそのホックに磁石付紐１（５）下げて紐の磁石で接合させる方法。
【０００５】
［発明の実施の形態］
多数の浮遊体が集合したとき、他方の浮遊体に一番近い磁石１（６）と、他方の浮遊体の一番近い磁石（６）と紐（５）を利用して磁石（６）同士を、吸着させる。紐（５）は、一方がホックになっている浮遊体のフックに付け、もう一方は磁石になっている。その磁石の両面が相反する形の縦長で真上に紐を付ける。
この紐の長さは同じ浮遊体の磁石に届かない長さにする。又、フック、ホックの代わりに磁石を用いる方法もある。
又、楕円形の窪みと出張りだけでなく、窪みと出張りが対応する形ならばいろんな形が利用できる。
又、窪み側の中心とそれに対応させて出張りの中心にも磁石又は、磁性体を使う。
これらの磁石と数個の磁石の付いた紐３（２２）と連設することで一定の形を保持させることにも利用できる。
又、両端に非磁性体の重りを付けた長さは、隣り合わせの浮遊体の窪みの中心から中心までの長さ又は、少し短めの紐の長さとする。
又、紐２本以上のローラ（１３）を設けることで紐が直接浮遊体の縁に当たらずスムーズに動く方法もある。
【０００６】
［実施例］
浮遊体（Ｂ）の各側面の縦中心に優孤状になった案内溝（１５）を設けてその中に縦帯の左右ことなった磁極の磁石（１６）を入れて往復運動出来るように遊嵌する。
又、磁石の表面と浮遊体の側面が平らになるように付設する。そうすれば、個々の浮遊体が磁石で接合した状態でも上下に可動できる。
又、浮遊体の側面の周部に溝（１８）を設けてゴムチューブ（１７）又は、柔軟塩ビシート（１７）を入れて、より密閉させて保温力を高めることが出来る。
ゴムチューブは通常浮遊体の側面より少し出ていて他の浮遊体の横圧で溝内に納まる様になる。
個々の磁石を鉄などの磁性体にかえても利用できる。
浮遊体と浴槽の縁、プールサイドとの間にはスポンジ（１９）やゴムチューブ（１９）で隙間を埋めたり又、薄くて広い塩ビシート（２０）を両者間に渡設して保温する。
塩ビシートを係止させるには、シートの端の重り（２１）と、浮遊体の窪みの磁石の位置と浴槽の縁に重りの磁石を置くことで互いの磁石で接合する方法がある。
又、窪みに水を入れれば、より自然な感じになる。
又、磁石や磁性体の形を魚や亀の様な形にしたり、色を付けたりして楽しんだりもできる。
又、塩ビシートで浮遊体を覆うようにして、浮遊体の窪みの磁石に吸着するように別の磁石で押さえておいて支持したことにより保温力を高める。
【０００７】
［発明の効果］
浮遊体を透明にすることによって底や中が見えることの安心感がある。
画一的な浮遊体を利用することで、利用する場所によって浮遊体集合シートの広さを自由にできに入浴中も利用出来る。又、浮遊体を二段に重ねることで保温力を増す。
【図面の簡単な説明】
【図１】浮遊体Ａの正面図
【図２】浮遊体Ｂの正面図
【図３】浮遊体Ｂの斜視図
【図４】浮遊体Ｂの平面図
【図５】浮遊体シート使用図
【図６】紐１の図
【図７】紐２の図
【図８】紐３の図
【図９】側面の磁石図
【図１０】チューブを付けた図
【符号の説明】
１　浮遊体Ａ
２　浮遊体Ｂ
３　中空部
４　フック
５　紐１
６　磁石１
７　紐２
８　非磁性体の重り
９　窪みの磁石又は磁性体
１０　出張りの磁石又は磁性体
１１　窪み
１２　出張り
１３　ローラ
１４　ホック
１５　案内溝
１６　縦帯磁石
１７　ゴムチューブ又は塩ビシート
１８　側面の周部の溝
１９　スポンジやムチューブ
２０　薄くて広い塩ビシート
２１　非磁性体
２２　紐３
【図１】
2004041633.tif 000003
【図２】
2004041633.tif 000004
【図３】
2004041633.tif 000005
【図４】
2004041633.tif 000006
【図５】
2004041633.tif 000007
【図６】
2004041633.tif 000008
【図７】
2004041633.tif 000009
【図８】
2004041633.tif 000010
【図９】
2004041633.tif 000011
【手続補正書】
【提出日】平成14年9月10日(2002.9.10)
【手続補正２】
【補正対象書類名】明細書
【補正対象項目名】図１０
【補正方法】削除
【補正の内容】
(57)【要約】【目的】この発明は雄側と雌側のホックにより服の生地をはさみ名札を固定する服に穴があかない名札止めに関するものである。【構成】雄側ホック（２）と雌側ホック（１）を名札を固定したい服の場所で服の生地（４）をはさみこむようにして合体させる。これにより服に名札部（３）が固定できる。【選択図】図２
2004041636.tif 000002
【特許請求の範囲】
【請求項１】
雄側と雌側のホックにより服の生地をはさみ名札を固定する服に穴があかない名札止め。
【発明の詳細な説明】
【０００１】
【産業上の利用分野】
この発明は雄側と雌側のホックにより服の生地をはさみ名札を固定する服に穴があかない名札止めに関するものである。
【０００２】
【従来の技術】
従来の名札止めは安全ピンやクリップを使用して服に名札を固定していた。
【０００３】
【発明が解決しようとする課題】
これは次のような欠点があった。
安全ピンタイプは服に穴があく、ピン先で子供が指にけがをするなどの欠点がある。クリップタイプは胸の部分にポケットなどのクリップをはさむ場所がないと固定できず、子供服などには不向きである。
本発明はこれらの欠点を除くためになされたものである。
【０００４】
【課題を解決するための手段】
雄側ホック（２）と雌側ホック（１）を設け、いずれかに名札部（３）を取り付ける。
本発明は以上の構成よりなる、服に穴のあかない名札止め。
【０００５】
【作用】
雄側ホック（２）と雌側ホック（１）を名札を固定したい服の場所で服の生地（４）をはさみこむようにして合体させる。
これにより服に名札部（３）が固定できる。
【０００６】
【実施例】
図３のように服の生地をはさみこめるのならば雄側ホック（２）を棒状に、雌側ホック（１）をフック状にしても目的は達成できる。
また図４のようにホックに直接名前を書いてもシンプルで丈夫で良い。
【０００７】
【発明の効果】
安全ピンを使わずに服に固定できるので服に穴があき生地を傷めることがない。
【図面の簡単な説明】
【図１】本発明の斜視図
【図２】本発明の使用側面図
【図３】本発明の他の実施例の斜視図
【図４】本発明の他の実施例の斜視図
【符号の説明】
（１）雌側ホック
（２）雄側ホック
（３）名札部
（４）服の生地
【図１】
2004041636.tif 000003
【図２】
2004041636.tif 000004
【図３】
2004041636.tif 000005
【図４】
2004041636.tif 000006
(57)【要約】【課題】ペット等の毛と花などをピンのようなすぐ取れるもので無くしっかりと、しかも、片手でつけられるようにする。【解決手段】バネに間隔のつまった部分１と間隔のあいた部分２をつくり、それにつまみ３をつけ曲げた時もどる力を利用して、花４と毛５などをはさみ込めるようにした。【選択図】　　　　　図１
2004041635.tif 000002
【特許請求の範囲】
【請求項１】
引っ張ると元に戻ろうとする一つのバネを、巻き方を変えてバネの間隔をあけた部分とあけない部分を作り、それを曲げた時にできる隙間にペットの毛と花をはさみ込んで、とめられるようにした髪飾り。
【発明の詳細な説明】
【０００１】
【発明の属する技術分野】
本発明は、引っ張ると元に戻ろうとするバネを巻き方を変えて、間隔があいている部分とあいていない部分を作り、それを曲げた時にできる隙間と、元に戻ろうとする力を利用して、花とペットの毛をはさみ込むようにして、ペットに花などの飾りを取り付けられるようにするものである。
【０００２】
【従来の技術】
従来ペットにつける髪飾りなどはあまり無く、安全ピンのようなものでとめるときはすぐにはずれて、しかも片手では止められなかった。
【０００３】
【発明実施の形態】
本発明はペットなどに花などを付ける事を可能にし、しかも、片手でつけられる様にしたもので、それを図面について説明すれば、バネに間隔の詰まった部分１と間隔のあいた部分２をもうけて、それにつまみ３を取り付けたものである。
【０００４】
【発明の効果】
このようにすれば、バネは曲げた時に隙間の広い部分と狭い部分が出来、隙間の広い部分に花の茎をはさんでしまえば、片手でペットの毛を挟み込む事が出来るため、簡単に花などをペットにつけられるので便利である。
【図面の簡単な説明】
【図１】使用状態を表す側面図
【図２】バネを使用するとき曲げて、隙間を作ったときの上面図
【符号の説明】
１．バネの間隔の詰まった部分
２．バネの間隔のあいた部分
３．つまみ
４．花
５．ペットの毛
【図１】
2004041635.tif 000003
【図２】
2004041635.tif 000004
(57)【要約】【課題】電磁波電界身体調整治療装置に関する。【解決手段】任意形状の椅子１の背もたれ部１Ａの任意箇所に複数のコイル２、３、４を設け、椅子１の下部に周波数発信器５を設け、周波数発信器５にリモートコントロラー７を接続詞し、椅子１の背もたれ部１Ａの表面上に複数個の電磁波電界測定用計器７を固定したことである。【選択図】　図１
2004041634.tif 000002
【特許請求の範囲】
【請求項１】
任意形状の椅子（１）の背もたれ部（１Ａ）の内部の任意箇所に複数個のコイル（２、３、４）を設け、前記椅子（１）の下部に周波数発信器（５）を設け、この周波数発信器（５）に前記コイル（２、３、４）を接続ケーブル（２Ａ、３Ａ、４Ａ）を使用して接続して成る電磁波電界身体調整治療装置。
【請求項２】
前記周波数発信器（５）に周波数発信器（５）の発信周波数を任意に変換する操作と周波数発信器（５）の出力電圧を加減する操作を有するリモートコントロラー（６）を接続ケーブル（６Ａ）で接続して成る請求項１の電磁波電界進退調整治療装置。
【請求項３】
前記椅子（１）の背もたれ部（１Ａ）の表面上に前記コイル（２、３、４）に関係した位置に複数個の電磁波電界測定用計器（７）を固定して成る請求項１の電磁波電界身体調整治療装置。
【発明の詳細な説明】
【０００１】
【発明の属する技術分野】
本発明は、電磁界電界身体調整治療装置に関する。
【０００２】
【従来の技術】
従来、身体の体調を良好にする装置が多く提供されているが、身体の各々の臓器、細胞に適した電気的治療装置は提供されていない。
【０００３】
【発明が解決しよとする課題】
電気的装置により身体の調子の悪い細胞、臓器を良好にすることである。
【０００４】
【課題を解決するための手段】
任意形状の椅子の背持たれ部の内部の任意箇所に複数個のコイルを設け、この複数個のコイルを椅子の下部に設けた周波数発信器に接続したことである。
【０００５】
【発明の実施の形態】
発明の実施の形態を実施例にもとずき図面を参照して説明する。
図１は、椅子１の背もたれ部１Ａの内部の任意箇所にコイル２、コイル３、コイル４を設けたことを示すと共に、椅子１の下部に周波数発信器５を設け、この周波数発信器５に周波数発信器５の発信周波数を任意に変換出来る事と周波数発信器５の周波数発信出力電圧を加減出来るリモートコントローラー６を接続ケーブル６Ａで接続し、コイル２、３、４等から発生する電磁波電界強度を測定する任意数の電磁波電界測定器７を椅子１の背もたれ部１Ａの上面にコイル２、３、４に関係した位置に固定した図である。
図２は、周波数発信器５に各コイル２、３、４等を接続し、リモートコントロラー７を接続したブロツク・ダイアグラム図である。
【０００６】
椅子１の背もたれ部１Ａの内部に設けたコイル２は、頭部に関係した治療と頭脳の調子を制御するためのコイルである。
頭脳には、特定の周波数が存在しており、安静、活動、思考等での作用周波数が異なり、その目的により、目的に適した周波数電圧を周波数発信器５より接続したケーブル２Ａを通してコイル２に加えて、コイル２より発生した電磁波電界を椅子１に座つた人間の頭脳に与えることにより、頭脳の治療又は、調整をすることが出来る。
【０００７】
椅子１の背もたれ部１Ａの内部に設けたコイル３は、心臓、肺、肝臓、胃、気管、すい臓、腎臓等の調子が悪い時、又は、肩凝り等の時の調整又は、治療に使用され、周波数発信器５より接続ケーブル３Ａを通して、それぞれに適した周波数電圧をコイル３に加えられて、コイル３より発生した電磁波電界で、それぞれの臓器又は、肩凝りを治療することが出来る。
【０００８】
椅子１の背もたれ部１Ａの内部に設けたコイル３は、胃、小腸、大腸、膀胱等の調子が悪い時、又は、腰痛等の調整、治療に使用され、周波数発信器５より接続ケーブル４Ａを通して、それぞれに適した周波数電圧を、コイル４に加えられて、それぞれの臓器又は、腰痛を治療する。
【０００９】
周波数発信器５に接続してあるリモートコントロラー６は周波数発信器５の発信する周波数を希望により変換したり、周波数発信器５の出力電圧を加減して各々のコイル２、３、４等から発生する電磁波電界を制御する。
また、椅子１の背もたれ部１Ａの表面上に固定した電磁波電界測定用計器７はそれぞれのコイル２、３、４等から発生している電磁波電界強度を測定し、希望に則したコイル２、３、４等からの発生電磁波電界強度にする様に周波数発信器５の出力を加減するための測定器である。
【００１０】
【発明の効果】
各々の臓器、細胞に関係した周波数の電磁波電界を当てることにより、調子の不良状態を良好にすることが出来る。
また、ストレスによる体調不全を良好な状態にすることが出来る。
【図面の簡単な説明】
【図１】椅子の背もたれ部の内部に複数のコイルを設け、椅子の下部に周波数発信器を設け、椅子の背もたれ部の表面上に複数個の電磁波電界測定用計器を固定し、リモートコントロラーを周波数発信器に接続した図である。
【図２】周波数発信器に各コイルとリモートコントロラーとを接続したブロツク・ダイアグラム図である。
【符号の説明】
１　　　　　　　　椅子
１Ａ　　　　　　　背もたれ部
２、３、４　　　　コイル
２Ａ、３Ａ、４Ａ　接続ケーブル
５　　　　　　　　周波数発信器
６　　　　　　　　リモートコントロラー
６Ａ　　　　　　　接続ケーブル
７　　　　　　　　電磁波電界測定用計器
【図１】
2004041634.tif 000003
【図２】
2004041634.tif 000004
(57)【要約】【課題】起立困難な要介助者を車椅子やベッドに移乗させる時、介助者の負担を軽減させ、安全に行なうための補助用具を提供する。【解決手段】膝支えカフ（１）（２）とそれを連結するプレート（５）で構成される移乗介助用補助具である。【選択図】　図１
2004041631.tif 000002
【特許請求の範囲】
【請求項１】
膝支えカフ（１）（２）とそれを連結するプレート（５）で構成される移乗介助用補助具。
【発明の詳細な説明】
【０００１】
【発明の属する技術分野】
この発明は、起立困難な要介助者を車椅子やベッドに移乗させる時、介助者の負担を軽減させ、安全に行なうための移乗介助用補助具に関するものである。
【０００２】
【従来の技術】
従来、起立困難な要介助者を車椅子やベッドに移乗させる時、介助者は要介助者の体重のほとんどを抱えている。
【０００３】
【発明が解決しようとする課題】
そのために、次のような問題が発生していた。
イ、　従来の方法で起立困難な要介助者を車椅子やベッドに移乗させようと介助すると、要介助者は立ちあがる力が弱く、膝関節を伸ばしながら立ちあがることができないため、体重を支えることができず、膝関節が前に曲がって床にしゃがみ込みそうになる。
ロ、　それを防止するため、介助者は、要介助者の体重のほとんどを抱えて移乗させなければならず、介助者の身体的負担が大きい。
本発明は、以上の問題点を解決するためのものである。
【０００４】
【課題を解決するための手段】
膝支えカフ（１）（２）とそれを連結するプレート（５）で構成される移乗介助用補助具である。
【０００５】
【発明の実施の形態】
以下、本発明の実施の形態について説明する。
内側にクッション材（３）（４）を貼った一対の弾力性のある膝支えカフ（１）（２）を設ける。これらをプレート（５）によって連結固定する。プレート（５）の片面にはクッション材（６）が貼ってある。（図１）（図２）、本発明は以上のような構造である。
本発明を使用する時は、まず座位に保った要介助者の両下腿上部に、膝支えカフ（１）（２）をはめ込む（図３）。カフには弾力性があるため、要介助者の両下腿上部に密着し、脱落することはない。また内側にはクッション材が貼ってあるため、使用中に要介助者の下肢への圧迫を分散できる。さらに、カフ（１）（２）はＵ字型になっているため、移乗介助時、要介助者の両膝が外側や内側にずれることを防止できる。
次に介助者は要介助者の両足の間に介助者の片足を置き、プレート（５）に下腿上部を密着させる（図４）。プレート（５）にはクッション材（６）が貼ってあり、介助者の下肢への圧迫を分散できる。
要介助者を起立させる時は、このプレート（５）を支点として、要介助者の膝関節が伸びるように両脇から抱えて介助する（図５）。こうすることにより、要介助者の膝関節が曲がらないように介助者の下腿部でブロックでき、要介助者の膝関節が伸びるように起立させることができる。つまり体重のほとんどを要介助者自身の下肢と介助者の下腿部で支えることができる。したがって要介助者が床にしゃがみ込むことを防止でき、また介助者が要介助者の体重のほとんどを抱える必要がなくなるため、介助者の負担を軽減させることができる。
そして、車椅子などへ移乗させるときは、この起立させた状態を維持しながら要介助者の足部を回転軸として回転させ、移乗する。
本発明は構造がシンプルなため、要介助者への装着・取り外しを簡単に行なうことができ、便利である。
【０００６】
【発明の効果】
本発明を使用することによって得られる効果について説明する。
起立困難な要介助者を車椅子やベッドに移乗させようと介助する時、要介助者は立ちあがる力が弱く、膝を伸ばしながら立ちあがることができないため、体重を支えることができず、膝関節が前に曲がって床にしゃがみ込みそうになる。
本発明を使用すれば、要介助者の膝関節が曲がらないように介助者の下腿部でブロックでき、要介助者の膝関節が伸びるように起立させることができる。つまり体重のほとんどを要介助者自身の下肢と介助者の下腿部で支えることができる。したがって要介助者が床にしゃがみ込むことを防止でき、また介助者が要介助者の体重のほとんどを抱える必要がなくなるため、介助者の負担を軽減させることができる。また、構造がシンプルなため要介助者への装着・取り外しを簡単に行なうことができ、便利である。
【図面の簡単な説明】
【図１】本発明の斜視図
【図２】本発明の平面図
【図３】本発明の装着説明図
【図４】本発明の使用説明図
【図５】本発明の使用説明図
【符号の説明】
１、２　膝支えカフ
３、４　クッション材
５　プレート
６　クッション材
【図１】
2004041631.tif 000003
【図２】
2004041631.tif 000004
【図３】
2004041631.tif 000005
【図４】
2004041631.tif 000006
【図５】
2004041631.tif 000007